(57)【要約】  本明細書では、商品をセキュリティ保護するためのシステム、装置、及び方法が提供される。一実施形態では、商品をセキュリティ保護する装置は、１つ又は複数のアイテムへのアクセスを制限するロック機構と；光学式キーによって放射される少なくとも１つの光ビームから複数の波長及び各波長に関連する強度を検出するよう構成される１つ又は複数の光センサと；制御回路及びメモリ装置を含む制御装置と；を有する。制御装置は、複数の波長値と、それぞれが波長値に関連する複数の強度値とを含むロックコードをメモリ装置に格納し、１つ又は複数の光センサによって検出された複数の波長のそれぞれの強度がロックコードと一致するかどうかに基づいて、ロック機構を解除するかどうかを決定するように構成される。
2018531336.tif 000002
【特許請求の範囲】
【請求項１】
１つ又は複数のアイテムをセキュリティ保護する装置であって、当該装置は、
前記１つ又は複数のアイテムへのアクセスを制限するロック機構と、
光学式キーによって放射される少なくとも１つの光ビームから複数の波長及び各波長に関連する強度を検出するように構成された１つ又は複数の光センサと、
制御回路及びメモリ装置を含む制御装置と、を有しており、
該制御装置は、
複数の波長値と、それぞれが波長値に関連する複数の強度値とを含むロックコードを前記メモリ装置に格納し、
前記１つ又は複数の光センサによって検出された前記複数の波長のそれぞれの強度が前記ロックコードと一致するかどうかに基づいて、前記ロック機構を解除するかどうかを決定する、ように構成される、
装置。
【請求項２】
前記１つ又は複数の光センサは分光計を含む、請求項１に記載の装置。
【請求項３】
前記１つ又は複数の光センサは、前記光学式キーの光源のパターンに一致するパターンで配置された複数のセンサを含む、請求項１に記載の装置。
【請求項４】
前記少なくとも１つの光ビームは、レーザ及び発光ダイオード（LED）のうちの１つ又は複数から放射される光を含む、請求項１に記載の装置。
【請求項５】
前記ロックコードは変調方式をさらに含み、前記制御回路は、前記光学式キーからの前記少なくとも１つの光ビームの変調が、前記ロックコード内の前記変調方式に一致するかどうかに基づいて、前記ロック機構を解除するかどうかを決定するようにさらに構成される、請求項１に記載の装置。
【請求項６】
ネットワーク化されたサーバから１つ又は複数のロックコードを受信するように構成された通信装置をさらに有する、請求項１に記載の装置。
【請求項７】
前記ロックコードは、前記サーバから受信され、且つ前記メモリ装置に格納され、前記制御回路は、予め設定された時間後に前記メモリ装置上の前記ロックコードを消去するように構成される、請求項６に記載の装置。
【請求項８】
前記ロックコードは、前記光学式キーを有するユーザからロック解除要求を受信することに応答して、前記ネットワーク化されたサーバから前記メモリ装置に送信される、請求項６に記載の装置。
【請求項９】
前記制御回路は、前記１つ又は複数の光センサが前記光学式キーからの前記少なくとも１つの光ビームを検出することに応答して、前記ロックコードを要求するように構成される、請求項６に記載の装置。
【請求項１０】
前記メモリ装置は、複数のロックコードを格納しており、前記制御回路は、前記ロック機構を解除するかどうかを決定するために、その日の現在の時刻及びその週の現在の曜日のうちの１つ又は複数に基づいて、前記複数のロックコードから１つのロックコードを選択する、請求項１に記載の装置。
【請求項１１】
施錠された１つ又は複数のアイテムにアクセスするための装置であって、当該装置は、
それぞれが指定された強度で複数の波長を放射するように構成された１つ又は複数の光源と、
複数の波長値と、それぞれが波長値に関連付けられた複数の強度値とを含むロックコードを格納するメモリ装置と、
前記ロックコードに従って前記１つ又は複数の光源に少なくとも１つの光ビームを放射させて光学式ロックを解除するように構成された制御回路と、を有する、
装置。
【請求項１２】
前記１つ又は複数の光源は、複数の波長ピークを有する光ビームを放射するように構成される、請求項１１に記載の装置。
【請求項１３】
前記１つ又は複数の光源は、前記光学式ロック上の光センサのパターンに一致するパターンで配置された複数の光源を含む、請求項１１に記載の装置。
【請求項１４】
前記１つ又は複数の光源は、レーザ及び発光ダイオード（LED）のうちの１つ又は複数を含む、請求項１１に記載の装置。
【請求項１５】
前記ロックコードは変調方式をさらに含み、前記制御回路は、前記ロックコードの前記変調方式に従って、前記１つ又は複数の光源に前記少なくとも１つの光ビームを変調させるようにさらに構成される、請求項１１に記載の装置。
【請求項１６】
ネットワーク化されたサーバから１つ又は複数のロックコードを受信するように構成された通信装置をさらに有する、請求項１１に記載の装置。
【請求項１７】
前記ロックコードは、ユーザからのロック解除要求を受信することに応答して、前記ネットワーク化されたサーバから前記メモリ装置に送信される、請求項１６に記載の装置。
【請求項１８】
前記ロック解除要求は、要求を行う前記ユーザの識別子、認証コード、及び前記ユーザがロック解除したい前記光学式ロックに関連する識別子のうちの１つ又は複数を含む、請求項１７に記載の装置。
【請求項１９】
前記制御回路は、前記１つ又は複数の光源に前記少なくとも１つの光ビームを放射させる前に、ユーザによって入力されたパスコードを認証するように構成される、請求項１１に記載の装置。
【請求項２０】
前記メモリ装置は、複数のロックコードを格納しており、前記制御回路は、その日の現在の時刻及びその週の現在の曜日のうちの１つ又は複数に基づいて１つのロックコードを選択し、該選択されたロックコードに従って前記１つ又は複数の光源に前記少なくとも１つの光ビームを放射させるように構成される、請求項１１に記載の装置。
【請求項２１】
１つ又は複数のアイテムへのアクセスを制御するシステムであって、当該システムは、
それぞれが指定された強度の複数の波長を含む少なくとも１つの光ビームを放射するように構成された１つ又は複数の光源を含む光学式キーと、
前記光学式キーからの複数の波長及び各波長に関連する強度を検出するように構成された１つ又は複数の光センサを含む光学式ロックと、を有しており、
前記光学式ロックは、前記光学式キーによって放射された前記少なくとも１つの光ビームが、複数の波長値及びそれぞれが波長値に関連する複数の強度値を含むロックコードと一致する場合に、施錠された１つ又は複数のアイテムへのアクセスを許可するように構成される、
システム。
【請求項２２】
前記光学式キー及び前記光学式ロックの少なくとも一方に前記ロックコードを与えるように構成されたネットワークサーバをさらに含む、請求項２１に記載のシステム。
【請求項２３】
１つ又は複数のアイテムをセキュリティ保護する方法であって、当該方法は、
１つ又は複数の光センサにおいて、光学式キーによって放射される少なくとも１つの光ビームを検出し、該少なくとも１つの光ビームから複数の波長及び各波長に関連する強度を検出するステップと、
複数の波長値と、それぞれが波長値に関連付けられた複数の強度値とを含むロックコードをメモリ装置から検索するステップと、
前記１つ又は複数の光センサによって検出された前記複数の波長の強度が前記ロックコードと一致するかどうかに基づいて、前記１つ又は複数のアイテムへのアクセスを制限するロック機構を解除するかどうかを決定するステップと、を含む、
方法。
【発明の詳細な説明】
【技術分野】
【０００１】
関連出願の相互参照
本願は、２０１５年１０月９日に出願された米国仮出願第６２／２３９，５１１号の利益を主張するものであり、この文献は、その全体が参照により本明細書に組み込まれる。
【０００２】
本発明は、概して、商品（merchandise）保護に関する。
【背景技術】
【０００３】
ショッピングスペースでは、盗難の危険性が高いアイテム（items）は、陳列棚や施錠ケース内でロックが掛けられることがある。慣例上、これらのアイテムは、従来の金属製のロック及びキーで施錠される。顧客がアイテムへのアクセスを要求すると、店員は、キーを見つけ出してケースを開ける。キーを紛失した場合に、不正アクセスを防ぐために、ロックを頻繁に交換及び／又は再構成する必要がある。
【図面の簡単な説明】
【０００４】
【図１】いくつかの実施形態によるシステムのブロック図である。
【図２】いくつかの実施形態による光学式ロック及び光学式キーのブロック図である。
【図３】いくつかの実施形態による商品にアクセスする方法のフロー図である。
【図４】いくつかの実施形態による商品へのアクセスを制御する方法のフロー図である。
【図５】いくつかの実施形態による検出された光ビームの図である。
【図６】いくつかの実施形態による光センサ及び光源の図である。
【発明を実施するための形態】
【０００５】
本明細書では、光学式ロック及び光学式キーを用いて商品をセキュリティ保護するための装置及び方法の実施形態が開示される。この説明は図面を含む。
【０００６】
図面の要素は、簡潔且つ明瞭にするために示されており、必ずしも縮尺通りに描かれていない。例えば、図面のいくつかの要素の寸法及び／又は相対的な位置は、本発明の様々な実施形態の理解を高めるのを補助するために、他の要素に対して誇張され得る。また、商業的に実現可能な実施形態において有用又は必要な一般的であるが十分に理解されている要素は、本発明のこれらの様々な実施形態の視野を妨げるのをより少なくするために大抵の場合示されていない。特定の動作及び／又はステップは、特定の発生順序で記述又は描写され得るが、当業者は、シーケンスに関するそのような特異性は実際には必要ないことを理解するであろう。本明細書で使用される用語及び表現は、異なる特定の意味が本明細書の他に記載されている場合を除いて、上記の技術分野の当業者によってそのような用語及び表現に一致するような通常の技術的意味を有する。
【０００７】
詳細な説明
一般に、様々な実施形態によれば、商品をセキュリティ保護するためのシステム、装置、及び方法が本明細書で提供される。商品をセキュリティ保護する装置は、１つ又は複数のアイテムへのアクセスを制限するロック機構と、光学式キーによって放射される少なくとも１つの光ビームから複数の波長及び各波長に関連する強度を検出するように構成された１つ又は複数の光センサと、制御回路及びメモリ装置を含む制御装置と、を有する。制御装置は、複数の波長値と、それぞれが波長値に関連する複数の強度値とを含むロックコードをメモリ装置に格納し、複数の１つ又は複数の光センサによって検出された複数の波長のそれぞれの強度がロックコードと一致するかどうかに基づいて、ロック機構を解除するかどうかを決定するように構成される。
【０００８】
小売店（販売フロア及び奥の部屋）及び流通センターにおける従来の施錠されるケースは、１）ケースをロック解除する物理的なキーの紛失又は置き違い、２）物理的なキーの位置を特定してケースをロック解除するために必要な時間、３）施錠されたケース及び／又はキーに誰がアクセスしているかの知見の欠如を含むいくつかの問題に悩まされる。光検出器／分光計を使用して作動（ロック又はロック解除）されるロックは、可視光又は非可視光の特定の波長、及び／又は可視及び非可視光の特定の波長の組合せを識別することができ、可視及び非可視光の特定の波長の比及び／又は特定の波長（複数可）の時間が、商品をセキュリティ保護するために検出される。
【０００９】
いくつかの実施形態では、現在の店舗用手持ち式スキャナに用いられるレーザを使用して、レーザの波長（例えば、６５０ナノメートル、赤色）を検出するように調整された光学式ロックでロックを作動させることができる。このレーザは、（手持ち式スキャナの一部、店舗のユーザインターフェイスシステムの一部等である）店舗の販売時点管理システムのスクリーンを介してアクセスすることができる典型的なバーコード・スキャン動作が行われたときに放射される。この実施形態は、どの従業員（associate）でも、物理的なキーと略同じセキュリティで、ケースを断然早くロック解除できる。
【００１０】
いくつかの実施形態では、追加の特定波長のレーザ（複数可）をスキャナに含めることができ、光学式ロックは、２つ以上の波長及び／又は各波長の相対強度を検出すると認識して作動するように調整され、及び／又は各波長の時間長さが検出される。レーザ出力は、店舗所有手持ち式スキャナ上で関連するアクセス許可を含む特定のツールを使用して活性化することができる。データベースは、どの従業員が「ロック／ロック解除」ツールにアクセスしたか、及びロック／ロック解除するためにツールを何時使用したかを追跡することができる。さらに、施錠された空間の内外でアイテムをスキャンするように装置を使用してもよい。
【００１１】
いくつかの実施形態では、光学式ロックは、有線及び／又は無線ネットワークを介して中央サーバと通信することができる。特定のユーザが、各レーザがスキャナから放射されロックによって検出される強度及び／又は時間の特定の組合せによってロックを作動させるセキュリティ対策（ユーザに結び付けられた経時的に変化する英数字のパスコードと同様の）を施すことができる。サーバは、どのユーザがどのロックに何時アクセスしたかを記録することができ、複数のロックが同時にアクセスされたときの食い違いを防止することができる。
【００１２】
開示されるシステムは、多くの従業員がデジタルツールを介してアクセスするのを可能にすることによって、施錠されたケース内のアイテムについてより良い顧客サービスを提供可能にし、且つ依然として施錠されたケースの損失防止利益を提供する。生産現場では、光検出だけでなく、ロックのデジタル及びネットワークの性質によっても有効になる、ロック／キーの組合せの維持費用が、大幅に削減される。本明細書に記載のシステムは、（物理的キー／ロックの組合せと比較して）容易に複製することができず、標準的なパスワードベースの技術（推測され、共有され、又は盗難される可能性のある）に対して脆弱性を有さない可視光又は不可視光の組合せを使用して、ロックを作動することができる。
【００１３】
ここで図１を参照すると、商品へのアクセスを制御するシステムが示されている。システム１００は、アクセスサーバ１１０と、光学式キー１３０と、商品１２５へのアクセスを制限する光学式ロック１２０とを含む。光学式キー１３０は、複数の波長範囲においてそれぞれが特有の強度の光を放射するように構成された１つ又は複数の光源を含む。いくつかの実施形態では、光学式キー１３０は、複数の波長ピークを含む単一の光ビームを放射することができる。いくつかの実施形態では、光学式キー１３０は、レーザ及び発光ダイオード（LED）等の複数の物理的な発光装置から、それぞれが狭い波長帯域を有する複数の光ビームを放射することができる。いくつかの実施形態では、光源は、可視スペクトル内及び可視スペクトル外の光を放射することができる。いくつかの実施形態では、光学式キー１３０は、ポータブル装置へのアタッチメントとして、販売時点管理システムの一部（チェックアウトカウンター、手持ち式又はフラットベッド式のバーコードスキャナー等）として、及び／又は入出荷システムの一部（配送トラック、倉庫保管コンテナ等）として、店舗又は輸送の従業員によって使用される１つ又は複数のポータブル装置（例えば、ポータブル・スキャナ、リーダ等）で実装してもよい。いくつかの実施形態では、光学式キー１３０の光源は、放射される光の周波数及び強度のうちの１つ又は複数を調整するように構成することができる。いくつかの実施形態では、光学式キー１３０は、ユーザ認証のためのユーザインターフェイスをさらに含む。例えば、光学式キー１３０は、光学式ロック１２０をロック解除するために光学式キー１３０の光源を作動させる前に、ユーザが装置及び／又はシステム１００にログインすることを要求してもよい。光学式キーのいくつかの実施形態の更なる詳細について、以下の図２を参照して説明する。
【００１４】
光学式ロック１２０は、光学式キーによって放射される少なくとも１つの光ビームから、複数の波長及び各波長に関連する強度を検出するように構成された１つ又は複数の光センサを含む。光センサは、光源から近距離（例えば、数フィート）の又は近接する（例えば、数センチメートル以下）のセンサの光を検出するように構成してもよい。いくつかの実施形態では、光学式ロック１２０は、光センサ、光子センサ、及び分光計のうちの１つ又は複数を含むことができる。光学式ロック１２０は、光学式キーから放射される光ビーム（複数可）と、複数の波長及び強度の組合せを指定するロックコードとを比較して、ロック機構を解除し且つ商品１２５へのアクセスを与えるかどうかを決定するように構成することができる。いくつかの実施形態では、ロックコードは、光学式キー１２０の鍵を変えるためにリモート及び／又はローカルで更新してもよい。例えば、光学式ロック１２０は、押されたときに、検出された波長及び周波数の組合せを新しいロックコードとして格納するリセットボタンを含んでもよい。光学式ロック１２０は、陳列棚、ポータブルケース、保管コンテナ、輸送コンテナ、セキュリティ保護されたショッピングスペース、及びセキュリティ保護された保管スペースのうちの１つ又は複数に一体化し及び／又は取り付けてもよい。光学式キーのいくつかの実施形態の更なる詳細について、以下の図２を参照して説明する。
【００１５】
商品１２５は、ショッピングスペース及び／又は流通チェーン内のアイテムであってもよい。いくつかの実施形態では、商品１２５は、光学式ロック１２０のロック機構を解除することによって取り出すことができるポータブルケース内に封入することができる。いくつかの実施形態では、商品１２５は、ショッピングスペース中のセキュリティ保護された領域内で施錠されたアイテムのグループであってもよい。いくつかの実施形態では、商品１２５は、枠箱、ケージ等の輸送及び／又は保管コンテナ内でセキュリティ保護してもよい。
【００１６】
いくつかの実施形態では、システムは、光学式ロック及び／又は光学式キー１３０と通信して商品にアクセスするためのロックコードを与えるアクセスサーバ１１０を含む。アクセスサーバ１１０と光学式ロック１２０及び／又は光学式キー１３０との間の通信は、ｗｉ−ｆｉ（登録商標）、ＢｌｕｅＴｏｏｔｈ（登録商標）、ローカルエリアネットワーク、インターネット等の任意の有線又は無線通信チャネルを介するものであってもよい。アクセスサーバ１１０は、１つ又は複数の物理的な位置及び施設における複数の光学式キー及び／又は光学式ロックと通信するように構成することができる。いくつかの実施形態では、光学式ロック１２０は固定コードを有し、光学式キー１３０は、要求をアクセスサーバ１１０に送信して、光学式ロック１２０に関連するロックコードを受信し、施錠された商品にアクセスすることができる。いくつかの実施形態では、光学式ロック１２０は循環式コードを有し、光学式キー１３０は、要求をアクセスサーバ１１０に送信して、その日の現在の時刻及び／又はその週の現在の曜日のロックコードを受信し、施錠された商品にアクセスすることができる。いくつかの実施形態では、光学式キー１３０が商品１２５にアクセスするために要求すると、アクセスサーバ１１０は、１回使用の一致するロックコードを光学式キーと光学式ロックとの両方に送信することができる。いくつかの実施形態では、光学式キー１３０は、光学式ロック１２０及び商品１２５の少なくとも一方を特定する要求を送って、商品にアクセスすることができる。ロック解除要求は、要求を行っているユーザの識別子、認証コード、及びユーザがロック解除したい光学式ロック装置に関連する識別子のうちの１つ又は複数を含むことができる。例えば、ロック解除要求は、光学式キーの位置、光学式ロックの識別子（ロック番号、通路（aisle）番号、セクション番号等）、及び商品の識別子（製品名、製品バーコード等）のうちの１つ又は複数を含むことができる。いくつかの実施形態では、次に、アクセスサーバ１１０は、ロック解除要求で特定された光学式ロック１２０及び／又は商品１２５に基づいて、ロックコードを検索及び／又は生成することができる。いくつかの実施形態では、アクセスサーバ１１０は、光学式キー１３０のユーザから受信した識別子に基づいて、どの光学式ロックにロックコードを与えるかを決定することができる。いくつかの実施形態では、光学式ロック１２０は、光学式キーからの光を検出すると、アクセスサーバ１１０からロックコードを要求するように構成してもよい。
【００１７】
いくつかの実施形態では、アクセスサーバ１１０は、さらに、ロック及キーの使用を追跡するように機能する。例えば、アクセスサーバ１１０は、アクセス要求、及び各要求に関連するユーザ及び／又は光学式キーのログ（記録）を維持することができる。光学式キー１３０及び／又はアクセスサーバ１１０は、アクセス要求を提出する及び／又は光学式キー１３０を作動する前に、ユーザが認証情報（ユーザ名及び／又はパスワード）を入力することを要求してもよい。いくつかの実施形態では、光学式キー１３０を操作するために使用されるユーザ認証情報は、光学式キー１３０及び／又はアクセスサーバ１１０によって記録してもよい。いくつかの実施形態では、光学式キー１３０及び／又はアクセスサーバ１１０は、さらに、ユーザに、複数のアイテムを施錠された空間に入れ又は取り出すように促してもよい。いくつかの実施形態では、光学式ロック１２０は、アクセスサーバ１１０と通信して、光学式ロック１２０がアクセスされるたびにその時間の情報を提供してもよい。その情報は、商品１２５にアクセスする際の成功した試み及び／又は失敗した試みを含んでもよい。いくつかの実施形態では、光学式ロック１２０及び／又は光学式キー１３０は、さらに、施錠された空間内のアイテムをスキャンし、それぞれのロック解除イベントの前及び／又は後のアイテム数をアクセスサーバ１１０に提供するように構成してもよい。
【００１８】
アクセスサーバ１１０が光学式ロック１２０と光学式キー１３０との両方と通信するように示されているが、いくつかの実施形態では、アクセスサーバ１１０は、システムに存在しなくてもよく、又は光学式ロック１２０及び光学式ロック１３０の一方のみと通信してもよい。例えば、光学式ロック１２０は、その日の時刻、その週の曜日、月、及び／又は年等に基づいた循環式ロックコードを有してもよい。アクセスサーバ１１０は、光学式ロック１２０と通信することなく、どのコードを光学式キー１３０に与えるかを決定することができる。いくつかの実施形態では、各光学式キーは、固有の固定ロックコードを有してもよい。アクセスサーバ１１０は、現在認証されたロックコードのセットを用いて光学式ロック１２０を定期的に更新することができ、認証された光学式キー１３０は、アクセスサーバと通信することなく、光学式ロック１２０にアクセスすることができる。いくつかの実施形態では、光学式ロック１２０は、検出された光ビーム（複数可）の波長ピーク及び強度をアクセスサーバ１１０に通信して、検出された光が有効なロックコードを有する光学式キーによって放射されたかどうかを判定することができる。
【００１９】
ここで図２を参照すると、商品へのアクセスを制御するシステムが示されている。システム２００は、光学式ロック２１０と、光学式キー２２０とを含む。光学式ロック２１０は、光センサ２１２と、制御装置２１４と、ロック機構２１６とを有する。
【００２０】
光センサ２１２は、１つ又は複数の光センサ装置を含むことができる。いくつかの実施形態では、光センサ２１２は、分光計を含んでもよい。いくつかの実施形態では、光センサ２１２は、複数の光ビームの波長及び／又は強度を検出するためのセンサアレイを含むことができる。センサアレイは、各センサが対応する発光装置からの光を検出して測定するように、光学式キーの発光装置のパターンをミラーリング／マッチングするパターンで配置することができる。光センサ２１２は、光学式キーによって放射される少なくとも１つの光ビームから、複数の波長及び各波長に関連する強度を同時に検出するように構成することができる。光センサ２１２は、経時的に検出された光ビーム（複数可）の変調を検出するようにさらに構成することができる。
【００２１】
制御装置２１４は、メモリ装置と、マイクロプロセッサ、プロセッサ、及び光センサ２１２から信号を受信し且つロック機構２１６を制御するように構成されたハードワイヤード回路等の制御回路とを含むことができる。制御装置２１４は、１つ又は複数の光センサによって検出された光ビーム（複数可）の複数の波長のそれぞれの強度がメモリ装置に格納されたロックコードと一致するかどうかに基づいて、ロック機構２１６を解除するかどうかを決定するように構成することができる。ロックコードは、制御装置２１４のメモリ装置に格納してもよく、及び／又はサーバから検索（取り出）してもよい。いくつかの実施形態では、制御装置２１４は、その日の現在の時刻及び／又はその週の曜日、月、年等に基づいて、そのメモリに格納された複数のロックコードからロックコードを選択するように構成してもよい。ロックコードは、波長及び強度の組合せの複数のセットを指定することができる。例えば、ロックコードは、２Ｗ／ｃｍ２で４５０ｎｍ、３Ｗ／ｃｍ２で５００ｎｍ、２Ｗ／ｃｍ２で６００ｎｍを指定することができる。いくつかの実施形態では、ロックコードで指定される強度は、相対強度であってもよい。例えば、ロックコードは、４５０ｎｍの光ビーム又は波長ピークを基準強度として使用し、且つ５００ｎｍは３０％以上の強度、６００ｎｍは同じ強度でなければならないと指定してもよい。別の例では、ロックコードは、４５０ｎｍが最も強度が高く、５００ｎｍが２番目に強度が高く、６００ｎｍが最も強度が低くなければならないと指定してもよい。制御装置２１４は、光センサによって検出された光とロックコードとを比較するときに許容範囲を設けることができる。例えば、検出された光の波長ピークがロックコードで指定された波長の５ｎｍ以内である場合に、制御装置２１４は、依然としてロック機構２１６を解除することを決定することができる。別の例では、各波長の強度が指定値を下回っているが相対強度がロックコードと略一致する場合に、制御装置２１４は、依然としてロック機構を解除することを決定することができる。
【００２２】
いくつかの実施形態では、光学式キー２２０は、光学式ロック２１０が光源の可能性のある劣化及び／又は周囲温度の影響を検出するのを可能にする較正ビーム及び／又は較正シーケンスを放射することができる。較正プロセスによって検出された強度及び／又は波長の偏差は、光源の劣化及び／又は他の環境影響による放射光の変動を説明するために、検出された光ビーム（複数可）及びロックコードの比較に使用してもよい。例えば、較正ビームが予想より０．２Ｗ／ｃｍ２低い強度である場合に、光学式ロックは、ロックコードで指定された強度よりも約０．２Ｗ／ｃｍ２低い強度を有する検出されたビームを受け入れることができる。
【００２３】
いくつかの実施形態では、光学式キー２２０は、センサによって局所的に測定されるか、又はサーバによって提供される環境温度に基づいて許容レベルを調整することができる。ＬＥＤ光源は、特に、温度依存特性を有することがある。光学式ロック２１０の制御回路は、この問題を説明するために、センサ読取り値をロックコードと比較する前に、温度関数に基づいて、感知した波長及び／又は強度の値を調整することができる。例えば、回路は、温度が５０°Ｆ（１０℃）であれば強度読取り値に１０％を加え、温度が３０°Ｆ（−１．１℃）であれば強度読取り値に２０％を加えてもよい。これらの値は単なる一例として与えられており、実際の温度に基づく調整値及び／又は式は、使用される光源及び／又は係数に依存し得る。
【００２４】
いくつかの実施形態では、光学式ロック２１０は、光ビーム（複数可）を光コードと比較する前に、検出された光ビーム（複数可）をブランク（blank）にしてもよい。光学式ロック２１０は、光学式キー２２０からの光を検出する少し前及び／又は後に、一定のバックグラウンド・スペクトルを検出することができる。次に、一定のバックグラウンド・スペクトルをセンサ読取り値から差し引き、光学式キー２２０によって送信された波長及び強度を分離することができる。
【００２５】
本明細書では、ロックコードが波長及び強度の組合せを含むように記載されているが、ロックに格納される数値は、任意の測定単位で表される周波数及び／又は波長に対応してもよい。いくつかの実施形態では、光センサのアレイを使用する場合に、ロックコードは、各波長及び強度の組合せのセンサ／光源の位置をさらに指定することができる。本明細書では、強度がＷ／ｃｍ２の単位を使用して記載されるが、強度は、本開示の精神から逸脱することなく、放射強度測定（Ｗ／ｓｒ）、光度測定（ｌｍ／ｓｒ又はｃｄ）、光子カウント等を用いて実施してもよい。いくつかの実施形態では、ロックコードはさらに変調方式を含むことができ、制御装置２１４は、さらに、ロックコードで指定された変調方式を光センサによって検出された光の変調と比較するように構成することができる。変調方式は、経時的な位相変化、波長変化、及び強度変化のうちの１つ又は複数を含むことができる。
【００２６】
ロック機構２１６は、制御装置２１４によって解除され得るラッチ、フック、磁石等の任意のロック手段を含むことができる。いくつかの実施形態では、制御装置２１４は、ロック機構に２１６に係合するように構成することもできる。いくつかの実施形態では、ロック機構２１６は、手動で係合するように構成することができる。ロック機構２１６は、陳列棚、陳列ケース、ポータブルケース、単一のアイテムケース、輸送コンテナ、保管コンテナ、保管棚、セキュリティ保護されたショッピングスペース、及びセキュリティ保護された保管スペース等の１つ又は複数で実施してもよい。一般的に、ロック機構２１６は、供給及び流通チェーン及び／又は小売施設内の任意の商品へのアクセスを制御することができる。
【００２７】
いくつかの実施形態では、光学式ロック２１０は、アクセスサーバと通信するための通信装置をさらに有する。アクセスサーバは、ロック機構２１６を解除するために使用され得る１つ又は複数のロックコードを光学式ロック２１０に与えることができる。いくつかの実施形態では、光学式ロック２１０は、各ロック解除イベントをアクセスサーバにさらに通信し、アクセスサーバは、光学式ロック２１０を開けるたびにその時点を追跡し続けることができる。いくつかの実施形態では、光学式ロック２１０は、失敗したアクセスの試みを報告することもできる。
【００２８】
光学式キー２２０は、光源２２２と、制御回路２２４と、メモリ装置２２６とを含む。いくつかの実施形態では、光学式キー２２０は、ポータブル装置へのアタッチメントとして、販売時点管理システムの一部（例えば、チェックアウトカウンター、手持ち式又はフラットベッド式のバーコードスキャナー等）として、及び／又は入出荷施設の一部として、店舗従業員又は輸送作業者によって使用される１つ又は複数のポータブル装置（例えば、ポータブル・スキャナ、リーダ等）で実装してもよい。
【００２９】
光源２２２は、レーザ及びＬＥＤ等の１つ又は複数の物理的な発光装置を含むことができる。光源２２２は、可視及び／又は不可視の波長の光を放射することができる。いくつかの実施形態では、光源２２２は、個々の発光装置が、固定波長及び可変強度、固定強度及び可変波長、又は可変波長及び可変強度を有する光ビームを放射するように構成された発光装置アレイを含むことができる。いくつかの実施形態では、光源アレイ内の少なくとも１つの発光装置は、固定波長及び／又は強度を有する基準光源であってもよい。発光装置アレイは、光学式ロックの光センサ装置のパターンをミラーリングするパターンで配置され、それによって各発光装置は、対応する光センサ装置に向けて光ビームを導くように構成される。光源２２２は、制御回路２２４によって制御される際に、それぞれが特定の強度で複数の波長を同時に放射するように構成することができる。光源２２２は、さらに、制御回路２２４によって制御される際に、変化する位相、強度、及び位相を有する変調方式に従って光を放射するように構成することができる。いくつかの実施形態では、光源２２２は、バーコード、ＱＲコード（登録商標）等の機械可読コードをスキャンするためのレーザ光で実装され、及び／又はこれを含むことができる。
【００３０】
制御回路２２４は、マイクロプロセッサ、プロセッサ、及び光源２２２を制御するように構成されたハードワイヤード回路等の任意の回路であってもよい。制御回路２２４は、メモリ装置２２６からロックコードを検索（取り出）し、ロックコードに従って光源２２２を駆動するように構成することができる。ロックコードは、有線又は無線接続を介してメモリ装置２２６にダウンロードしてもよい。いくつかの実施形態では、制御回路２２４は、その日の現在の時刻及び／又はその週の曜日、月、年等に基づいて、メモリ装置２２６に格納された複数のロックコードからロックコードを選択するように構成してもよい。ロックコードは、波長及び強度の組合せのセットを指定してもよく、制御回路２２４は、対応する強度で指定された波長を供給するように光源２２２を駆動するように構成してもよい。例えば、ロックコードは、２Ｗ／ｃｍ２で４５０ｎｍ、３Ｗ／ｃｍ２で５００ｎｍ、２Ｗ／ｃｍ２で６００ｎｍの波長及び強度の組合せを指定してもよい。いくつかの実施形態では、光源２２２は、単一の発光装置を有し、制御回路２２４は、光源２２２に、それぞれが指定された強度／振幅を有する、４５０ｎｍ、５００ｎｍ、及び６００ｎｍの波長ピークを有する光ビームを生成させることができる。いくつかの実施形態では、発光装置のアレイを使用することができ、ロックコードは、各波長及び強度の組合せの位置をさらに指定することができる。制御回路２２４は、ロックコードに基づいて、どの発光装置がどの波長及び強度の組合せを生成すべきかを決定することができる。いくつかの実施形態では、制御回路２２４は、ロックコードの波長又は強度に基づいて発光装置を選択し、波長及び強度の他方を制御するだけでよい。例えば、光源は、４５０ｎｍ、５００ｎｍ、及び６００ｎｍに固定した波長の３つの発光装置を含み、制御回路は、各発光装置に、それぞれ２Ｗ／ｃｍ２、３Ｗ／ｃｍ２、１Ｗ／ｃｍ２の強度の光ビームを発生させる。本明細書では、ロックコードが波長及び強度の組合せを含むように記載しているが、ロックに格納される数値は、周波数及び／又は波長、及び絶対強度及び／又は相対強度に対応してもよい。本明細書では、強度が単位Ｗ／ｃｍ２で表されるが、強度は、本開示の精神から逸脱することなく、放射強度測定（Ｗ／ｓｒ）、光度測定（ｌｍ／ｓｒ又はｃｄ）、光子カウント等で実施してもよい。いくつかの実施形態では、ロックコードは、変調方式をさらに含むことができ、制御回路２２４は、ロックコードで指定された変調方式に従って光源２２２を駆動するようにさらに構成することができる。変調方式は、経時的な位相変化、波長変化、及び強度変化のうちの１つ又は複数を含むことができる。
【００３１】
メモリ装置２２６は、任意の揮発性及び／又は不揮発性の機械可読装置を含むことができる。メモリ装置２２６は、制御回路によってアクセス可能な１つ又は複数のロックコードを格納するように構成してもよい。いくつかの実施形態では、メモリ装置２２６は、ロックコードを単に一時的に格納するだけであり、且つ設定回数の使用後、一定時間後、及び／又はユーザがポータブル装置からログアウトした後等にロックコードを検出するように構成される。
【００３２】
いくつかの実施形態では、光学式キー２２０は、アクセスサーバと通信するための通信装置をさらに含む。いくつかの実施形態では、光学式キーのユーザは、ロック解除要求をサーバに提出することができる。いくつかの実施形態では、光学式キー２２０は、アクセス要求を提出する前に及び／又は光学式キー２２０を動作させる前に、ユーザが認証データ（例えば、パスワード、ログイン等）を与えるためのユーザインターフェイスをさらに含む。いくつかの実施形態では、ロック解除要求は、アクセスサーバによって記録され得る。いくつかの実施形態では、ロック解除要求は、ユーザが施錠された空間から取り出す又は追加しようとする複数のアイテムを含むように要求され得る。いくつかの実施形態では、ロック解除要求は、ユーザがアクセスしたい特定の光学式ロックを特定する。例えば、ユーザは、光学式ロック、商品、ロック位置等に関連する識別子をスキャン又は入力して、特定の光学式ロックをアクセスサーバに示すことができる。アクセスサーバは、１つ又は複数の光学式ロック２１０と共に使用するための１つ又は複数のロックコードを光学式キー２２０に与えてもよい。いくつかの実施形態では、光学式キー２２０は、失敗した認証の試みをアクセスサーバに報告することもできる。
【００３３】
いくつかの実施形態では、光学式ロック２１０は、光学式ロックの識別子を光学式キー２２０に送信するように構成された光源をさらに含むことができる。いくつかの実施形態では、光学式ロック２１０の光源は、本明細書に記載の光源２２２の１つ又は複数の実施形態と同様の装置を含むことができる。いくつかの実施形態では、光学式キー２２０は、光学式ロック２１０の光源から光学式ロックの識別子を検出するように構成された光センサを含むことができる。いくつかの実施形態では、光学式キー２２０の光センサは、本明細書に記載の光センサ２１２の１つ又は複数の実施形態と同様の装置を含むことができる。
【００３４】
いくつかの実施形態では、光学式キー２２０は、光学式ロック２１０上の光源を起動させるために、起動信号を光源２２２に送信するように構成してもよい。光学式キー２２０が、その光センサを用いて光学式ロックの光源から光学式ロックの識別子を検出したときに、光学的キー２２０は、光学式ロックの識別子に基づいてロックコードを選択するように構成してもよい。次に、光学式キー２２０は、ロックコードに基づいて光源２２２を制御して、光学式ロック２１０のロックを解除することができる。
【００３５】
ここで図３を参照すると、施錠された商品にアクセスする方法が示されている。一般に、図３に示される方法は、制御回路及び１つ又は複数の光源を有する光学式キーを用いて実施することができる。いくつかの実施形態では、図３に示される方法は、図１に示した光学式キー１３０、及び／又は図２に示した光学式キー２２０を用いて実施することができる。
【００３６】
ステップ３１０において、ロックコードが検索（取り出）される。いくつかの実施形態では、ステップ３１０の前に、店舗従業員は、光学式キーを操作する前に認証情報を入力する必要があり得る。いくつかの実施形態では、ロックコードは、光学式キーのメモリ装置及び／又はサーバから検索することができる。いくつかの実施形態では、ロックコードは、開けられるロック、その日の現在の時刻、その週の曜日、月及び／又は年等に基づいて、複数のロックコードから選択してもよい。いくつかの実施形態では、ユーザは、ロック解除要求をアクセスサーバに送信して、ロックコードを取得してもよい。ロックコードは、特定のロック又は複数の光学式ロックに対してのみ有効であり得る。アクセス要求は、要求するユーザ、開けられるロック、アクセスされる１つ又は複数の商品、及び追加及び／又は取り出される商品の数のうちの１つ又は複数を指定することができる。次に、アクセスサーバから受信したロックコードを、光学式ロックの揮発性及び／又は不揮発性のメモリ装置に格納してもよい。
【００３７】
ロックコードは、２つ以上の波長、及び各波長に関連する強度を指定することができる。いくつかの実施形態では、波長は、ロックコードの周波数に関して表してもよい。強度は、測定単位（Ｗ／ｃｍ２、光子カウント／ｎｍ、Ｗ／ｓｒ、ｌｍ／ｓｒ、ｃｄ等）及び／又は相対値（高、中、低等）で表してもよい。いくつかの実施形態では、ロックコードは、１つ又は複数の光ビームの波長、強度、及び位相のうちの１つ又は複数が経時的にどの様に変化するかを指定する変調方式をさらに含むことができる。いくつかの実施形態では、発光装置のアレイを使用する場合に、ロックコードは、各波長及び強度の組合せについてアレイ内の位置をさらに指定することができる。
【００３８】
ロックコードを検索した後に、制御回路は、ロックコードに基づいて光源をどの様に駆動するかを決定することができる。いくつかの実施形態では、単一の発光装置を使用する場合に、制御回路は、どの波長を放射するかを決定し、且つ各波長ピークについて適切な強度を決定することができる。いくつかの実施形態では、複数の発光装置を使用する場合に、システムは、どの光源を、ロックコードで指定されたどの波長及び強度の組合せで放射すべきかを決定することができる。
【００３９】
ステップ３２０において、制御回路は、光源に、ロックコードに従って１つ又は複数の光ビームを放射させる。いくつかの実施形態では、ステップ３２０は、ユーザが光学式キー上のボタンを押すことによって開始することができる。いくつかの実施形態では、光学式キーの光源は、手持ち式スキャナと同様の方法で起動させることができる。いくつかの実施形態では、ステップ３２０は、ボタンを離したときに終了してもよい。いくつかの実施形態では、ロックコードが変調方式を指定する場合に、制御回路は、変調方式に従って光源を変調させることができる。
【００４０】
いくつかの実施形態では、ステップ３２０の後に、光学式キー及び／又は光学式キーを含む装置を使用して、施錠された空間から取り出される又は追加される商品から光学式コード（バーコード、ＱＲコード等）をスキャンすることができる。スキャンされた情報は、記録のためにアクセスサーバに報告される場合がある。光学式コードをスキャンするレーザは、ステップ３２０において、ロックコードに従って光ビームを放射するために使用される光源の一部であってもよく、又はその光源を含んでもよい。いくつかの実施形態では、ロックコードは、一度使用される及び／又は予め設定された期間の後に、光学式コードのメモリ装置から消去され得る。
【００４１】
ここで図４を参照すると、商品をセキュリティ保護する方法が示されている。一般に、図４に示される方法は、制御回路と、１つ又は複数の光源と、ロック機構とを有する光学式ロックを用いて実施することができる。いくつかの実施形態では、図４に示される方法は、図１に示した光学式ロック１２０、及び／又は図２に示した光学式ロック２１０を用いて実施することができる。
【００４２】
ステップ４１０において、光学式キーによって放射された少なくとも１つの光が検出される。光学式キーからの光ビームは、分光計等の単一のセンサ装置又は複数の別個のセンサ装置によって検出することができる。ステップ４２０において、複数の波長及びそれぞれが波長に関連する複数の強度値を指定するロックコードが検索される。ロックコードは、サーバ及び／又は光学式ロックのメモリ装置から検索することができる。いくつかの実施形態では、光学式ロックに格納されたロックコードは、アクセスサーバによって定期的に更新され得る。いくつかの実施形態では、ユーザが光学式ロックへのアクセスを要求するときに、アクセスサーバがロックコードを与えてもよい。いくつかの実施形態では、光学式ロックは、ステップ４１０において少なくとも１つの光ビームを検出したときに、ロックコードを要求することができる。いくつかの実施形態では、光学式ロックは、ステップ４２０において、その日の時刻、その週の曜日、月、年等に基づいて複数のロックコードから選択してもよい。
【００４３】
ステップ４２０において、制御回路は、ステップ４１０で検出された光ビーム（複数可）が、ステップ４２０で検索されたロックコードに指定された波長及び強度の組合せと一致するかどうかに基づいて、商品へのアクセスを制限するロック機構を解除するかどうかを決定する。いくつかの実施形態では、光センサが分光計である場合に、制御回路は、分光計の読取り値の波長ピークの強度を、ロックコード内の波長及び強度の組合せと比較する。いくつかの実施形態では、複数の光センサを使用する場合に、各光センサ装置は、光ビームから１つの波長及び強度の組合せを検出するように構成してもよい。いくつかの実施形態では、少なくとも１つの光センサは、狭い波長範囲の強度を測定するように構成してもよい。例えば、１つのセンサが、６００〜６５０ｎｍ範囲の光強度を測定し、第２のセンサが、７００〜７５０ｎｍ範囲の光強度を測定してもよい。いくつかの実施形態では、制御回路は、波長及び強度の比較においていくらかの許容誤差を設けてもよい。例えば、検出された光の波長及び／又はピークがロックコードに指定された波長の５ｎｍ以内である場合に、制御回路は、依然としてロック機構を解除することを決定することができる。いくつかの実施形態では、ロックコードは変調方式を指定し、制御回路は、ステップ４３０において、検出された光ビーム（複数可）の変調がロックコードの変調方式と一致するかどうかをさらに判定することができる。
【００４４】
ステップ４１０で検出された光が、ステップ４２０で検索されたロックコードと一致する場合に、制御回路は、ロック機構を解除して施錠された商品へのアクセスを許容することができる。いくつかの実施形態では、光学式ロックは、ステップ４３０の後に、施錠された商品にアクセスするための成功した及び／又は失敗した試みをアクセスサーバに報告することができる。
【００４５】
ここで図５を参照すると、検出された光ビーム（複数可）のスペクトルの図が示されている。図５のグラフは、３Ｗ／ｃｍ２の強度で５００ｎｍのピーク及び５Ｗ／ｃｍ２の強度で７００ｎｍのピークを有する１つ又は複数のレーザ光源からの分光計の読取り値を表すことができる。他のタイプの光源を使用する実施形態では、各ピークの波長分布がより広がってもよい。いくつかの実施形態では、ロックコードが５５０ｎｍで３Ｗ／ｃｍ２と７００ｎｍで５Ｗ／ｃｍ２との組合せを指定し、分光器が図５と同様の読取り値を有する場合に、光学式ロックは、検出された光ビームがロックコードと一致すると判定し、ロック機構を解除して施錠された商品へのアクセスを許容する。いくつかの実施形態では、図５の検出された光ビームは、また、５５０ｎｍ及び７００ｎｍでのピークを指定するロックコードと一致してもよく、５５０ｎｍのピークは、７００ｎｍのピークの強度の約６０％の相対強度を有する。光学式コードは、複数の波長及び強度の組合せを指定することができる。光学式コード内の強度値は、絶対値又は相対値を表すことができる。いくつかの実施形態では、１つの波長ピークが基準ピーク値及び基準強度値であり、他の波長ピークを基準ピークの強度に対して規定することができる。なお、図５は可視波長スペクトルを含むが、いくつかの実施形態では、不可視スペクトル（例えば、赤外線、紫外線）の波長を使用してもよい。
【００４６】
ここで図６を参照すると、一対の光センサ及び光源が示されている。光センサ６１０は、３つの光センサ装置６１１、６１２、及び６１３を含む。センサ装置のそれぞれは、１つ又は複数の波長範囲及び１つ又は複数の強度値を検出するように構成することができる。いくつかの実施形態では、センサ装置６１１、６１２、及び６１３のそれぞれは、分光計であってもよい。いくつかの実施形態では、センサ装置６１１、６１２、及び６１３のそれぞれは、１つ又は複数の波長帯域の強度を測定するように構成してもよい。光センサ装置６１１、６１２、及び６１３は、光源６２０の発光装置６２１、６２２、及び６２３のパターンをミラーリングするパターンで配置され、それによって光源６２０が光センサ６１０を指し示すとき、光センサ装置６１１、６１２、及び６１３のそれぞれは、発光装置６２１、６２２、及び６２３のうちの対応する装置からの光ビームを測定するように位置付けされる。
【００４７】
発光装置６２１、６２２、及び６２３は、レーザ及び／又はＬＥＤ等の発光装置を含むことができる。いくつかの実施形態では、発光装置６２１、６２２、及び６２３のそれぞれは、可変波長及び強度を有する光ビームを生成するように構成してもよい。いくつかの実施形態では、発光装置６２１、６２２、及び６２３の少なくともいくつかは、固定波長及び／又は強度を有してもよい。いくつかの実施形態では、発光装置６２１、６２２、及び６２３の少なくとも１つは、固定強度及び／又は波長を有する基準光源であってもよい。いくつかの実施形態では、発光装置６２１、６２２、及び６２３の少なくとも１つは、バーコードコードスキャナのレーザ光源であってもよい。
【００４８】
図６では、光センサ装置６１１、６１２、及び６１３と発光装置６２１、６２２、及び６２３とのレイアウトが単なる一例として示されている。光センサ６１０及び光源６２０は、本開示の精神から逸脱することなく、任意数のセンサ及び発光装置を任意の構成で含むことができる。
【００４９】
一実施形態では、商品をセキュリティ保護するための装置は、１つ又は複数のアイテムへのアクセスを制限するロック機構と、光学式キーによって放射された少なくとも１つの光ビームから複数の波長及び各波長に関連する強度を検出するように構成された１つ又は複数の光センサと、制御回路及びメモリ装置を含む制御装置とを有する。制御装置は、複数の波長値と、それぞれが波長値に関連する複数の強度値とを含むロックコードをメモリ装置に格納するように構成され、且つ１つ又は複数の光センサによって検出された複数の波長のそれぞれの強度がロックコードと一致するかどうかに基づいて、ロック機構を解除するかどうかを決定するように構成される。
【００５０】
一実施形態では、施錠された商品にアクセスするための装置は、それぞれが特定の強度で複数の波長を放射するように構成された１つ又は複数の光源と、複数の波長値及びそれぞれが波長値に関連付けられた複数の強度値を含むロックコードを格納するメモリ装置と、ロックコードに従って１つ又は複数の光源に少なくとも１つの光ビームを放射させて光学式ロックを解除するように構成された制御回路と、を有する。
【００５１】
一実施形態では、商品へのアクセスを制御するシステムは、それぞれが指定された強度の複数の波長を含む少なくとも１つの光ビームを放射するように構成された１つ又は複数の光源を含む光学式キーと、光学式キーから複数の波長及び各波長に関連する強度を検出するように構成された１つ又は複数の光センサを含む光学式ロックと、を有しており、光学式ロックは、光学式キーによって放射された少なくとも１つの光ビームが、複数の波長値及びそれぞれが波長値に関連する複数の強度値を含むロックコードと一致する場合に、施錠された１つ又は複数のアイテムへのアクセスを許可するように構成される。
【００５２】
一実施形態では、商品をセキュリティ保護する方法は、１つ又は複数の光センサにおいて、光学式キーによって放射される少なくとも１つの光ビームを検出し、少なくとも１つの光ビームから複数の波長及び各波長に関連する強度を検出するステップと、複数の波長値及びそれぞれが波長値に関連付けられた複数の強度値を含むロックコードをメモリ装置から検索するステップと、１つ又は複数の光センサによって検出された複数の波長の強度がロックコードと一致するかどうかに基づいて、１つ又は複数のアイテムへのアクセスを制限するロック機構を解除するかどうかを決定するステップと、を含む。
【００５３】
当業者であれば、本発明の範囲から逸脱することなく、上述した実施形態に関して様々な他の修正、変更、及び組合せを行うことができ、そのような修正、変更、及び組合せは、本発明の概念の範囲内にあるとみなすべきである。
【図１】
2018531336.tif 000003
【図２】
2018531336.tif 000004
【図３】
2018531336.tif 000005
【図４】
2018531336.tif 000006
【図５】
2018531336.tif 000007
【図６】
2018531336.tif 000008
【国際調査報告】
2018531336.tif 000009